(57)【要約】【課題】複数の装置の電源を効率的に制御する電源制御システムを提供する。【解決手段】電源制御システム１０は、複数の測定器の電源のオンオフを制御する。電源制御システム１０は、電源オンオフ制御用のスケジュール作成に必要な情報や作成したスケジュールを保持する記憶部１２、記憶部１２に保持される情報を参照し、各測定器について電源をオンとするかオフとするか決定し、電源切り替えタイミングを算出する制御部１４、制御部１４の決定及び算出結果に従って各測定器の電源のオンオフを切り替える切替部１６、試験担当者等のユーザからの入力を受け付け、またユーザにスケジュール情報やステータス情報を提示する入出力部１８を含む。【選択図】図１
2015125690.tif 000002
【特許請求の範囲】
【請求項１】
複数の処理装置を使用する処理項目を少なくとも一つ含む複数の処理項目を協働して順次実施する複数の処理装置の電源を制御する電源制御システムであって、
各処理装置の起動時間情報と、各処理項目の処理時間情報と、各処理項目における各処理装置の使用の有無を示す装置情報と、複数の処理項目の実施順序情報とを保持する記憶部と、
前記記憶部に保持される情報を参照し、各処理装置について、その処理装置が一の処理項目で使用され、その次の処理項目で不使用である場合、前記一の処理項目の終了後に当該処理装置の電源をオフとするか否か決定し、オフとする場合、次回電源を入れる次回オンタイミングを算出する制御部と、
前記制御部の決定及び算出結果に従い各処理装置の電源のオンオフを制御する切り替え部と、を備えることを特徴とする電源制御システム。
【請求項２】
前記制御部は各処理装置について、その処理装置が一の処理項目で使用され、その次の処理項目で不使用である場合、その装置が連続して使用されない最後の処理項目である連続不使用最終項目を求め、当該連続不使用最終項目までの各処理項目の処理時間の和が、その処理装置の起動時間よりも長い場合、前記一の処理項目の終了後に当該処理装置の電源をオフとする旨決定することを特徴とする請求項１に記載の電源制御システム。
【請求項３】
前記制御部は、各処理装置について、一の処理項目の終了後にその処理装置の電源をオフとする旨決定した場合、前記連続不使用最終項目の終了時刻からその装置の起動時間を差し引いた時刻を次回オンタイミングとして算出することを特徴とする請求項２に記載の電源制御システム。
【請求項４】
前記処理装置は測定装置であり、前記複数の処理項目は複数の試験項目と、試験項目の間の待機時間とを含むことを特徴とする請求項１から３のいずれかに記載の電源制御システム。
【請求項５】
前記制御部は、ある処理装置が一の処理項目で電源オンかつ不使用であり、さらに起動中でない場合、その処理装置をスタンバイとすることを決定し、
前記切り替え部は、前記制御部の決定に従い処理装置をスタンバイモードに切り替えることを特徴とする請求項１から４のいずれかに記載の電源制御システム。
【請求項６】
一の処理項目を実施中にその処理項目の処理時間が変更された場合、前記制御部は、各処理装置のオンオフタイミングを示すタイミングテーブルを仮作成し、
現在電源オフであり、かつ仮作成したタイミングテーブルによると変更後電源オンとなる処理装置がある場合、仮作成したタイミングテーブルに修正を加えてタイミングテーブルを作成し、
現在起動中であり、かつ仮作成したタイミングテーブルによると変更後電源オンとなる処理装置がある場合、修正の要否を判定し、修正要と判定した場合、起動時間に基づく修正を加えてタイミングテーブルを作成することを特徴とする請求項１から５のいずれかに記載の電源制御システム。
【請求項７】
複数の処理装置を使用する処理項目を少なくとも一つ含む複数の処理項目を協働して実施する複数の処理装置の電源制御をコンピュータに実現させるプログラムであって、
各処理装置の起動時間情報と、各処理項目の処理時間情報と、各処理項目における各処理装置の使用の有無を示す装置情報と、複数の処理項目の実施順序情報とを記憶装置から読み出す機能と、
前記読み出した情報に基づき、各処理装置について、その処理装置が一の処理項目で使用され、次の処理項目で不使用である場合、前記一の処理項目の終了時に当該処理装置の電源をオフとするか否か決定し、オフとする場合、次回電源を入れるタイミングを算出する機能と、
をコンピュータに実現させることを特徴とするコンピュータプログラム。
【発明の詳細な説明】
【技術分野】
【０００１】
本発明は、電源制御技術に関し、特に複数の装置の電源を制御する技術に関する。
【背景技術】
【０００２】
近年、エネルギ資源の効率的な利用を図るべく、積極的に省エネルギ化を進めようとする風潮が高まっており、工場等の製造現場においても省エネルギ化は重要な改善項目の一つとなっている。
製造や試験に用いる機器の電源を一旦切ると、次にその機器の電源を入れてから使用可能な状態になるまでに立ち上がり時間（「起動時間」ともよぶ）が必要であるため、次回使用開始予定時刻から立ち上がり時間の分だけ前に電源を入れておく必要がある。
特許文献１には、分析スケジュールに応じて設定された予定時刻に基づき、光源用スイッチをオン、オフ、または省電力モードに切り替える光学分析装置が記載されている。
【先行技術文献】
【特許文献】
【０００３】
【特許文献１】特開２０１２−２５５６６３号公報
【発明の概要】
【発明が解決しようとする課題】
【０００４】
電子機器などの製造工程においては、製造工程の途中や最終工程終了後などにおいて半製品や完成品が製品としての要求事項を満足しているか否か判別するために試験が行われる。試験においては一般的に複数の試験項目について順次検査が行われる。
【０００５】
試験項目により一つまたは複数の測定器が用いられるが、全ての測定器が全試験項目を通して継続的に使用されるわけではなく、測定器によってはある試験項目で使用された後、次に使用される試験項目まで不使用期間が発生する。
省エネルギの観点からは使用しない測定器の電源を切ることが望ましい。
【０００６】
しかしながら、複数の測定器によって複数の試験項目を順次実施する場合、各測定器を使用する試験項目と、その測定器の立ち上がり時間とを考慮して事前に電源のオンオフタイミングのスケジュールを作成するのは煩雑で時間のかかる作業である。特に多品種少量生産の場合、個々の製品の試験に合わせてその都度手作業で電源のオンオフタイミングのスケジュールを作成すると作業効率が大幅に低下する。
また、スケジュール作成時や電源スイッチ操作時のミスにより、測定開始時に必要な測定器が起動できていなかった場合、一つの測定器の起動を待つために手待ち時間が発生し、以降の工程にも支障が生じる。
このため実際には、使用する可能性のある全ての測定器の電源を試験中常に入れておく対応がなされていた。
【０００７】
本発明はこうした課題に鑑みてなされたものであり、その目的は、複数の装置の電源を効率的に制御する電源制御システムを提供することにある。
【課題を解決するための手段】
【０００８】
上記課題を解決するために、本発明のある態様の電源制御システムは、複数の処理装置を使用する処理項目を少なくとも一つ含む複数の処理項目を協働して順次実施する複数の処理装置の電源を制御する電源制御システムであって、各処理装置の起動時間情報と、各処理項目の処理時間情報と、各処理項目における各処理装置の使用の有無を示す装置情報と、複数の処理項目の実施順序情報とを保持する記憶部と、記憶部に保持される情報を参照し、各処理装置について、その処理装置が一の処理項目で使用され、その次の処理項目で不使用である場合、一の処理項目の終了後に当該処理装置の電源をオフとするか否か決定し、オフとする場合、次回電源を入れる次回オンタイミングを算出する制御部と、制御部の決定及び算出結果に従い各処理装置の電源のオンオフを制御する切り替え部と、を備える。
【０００９】
なお、以上の構成要素の任意の組合せ、本発明の表現を方法、装置、システム、プログラムなどの間で変換したものもまた、本発明の態様として有効である。
【発明の効果】
【００１０】
本発明によれば、効率的に複数の装置の電源を制御できる。
【図面の簡単な説明】
【００１１】
【図１】被測定装置の試験を実施する複数の測定器の電源を制御する第１の実施形態にかかる電源制御システムの構成例を示す図である。
【図２】電源制御システムの記憶部が保持する起動時間テーブルを示す図である。
【図３】被測定装置として製品Ａを試験する際の試験情報を格納する試験テーブルの例を示す図である。
【図４】被測定装置として製品Ｂを試験する際の試験情報を格納する試験テーブルの例を示す図である。
【図５】それぞれ複数の試験項目を含む各試験の実施順序、試験間の待機時間、及び待機時間における測定器の不使用情報を示す試験順序テーブルの例を示す図である。
【図６】各試験や試験項目の実施順序、試験間の待機時間、及び各試験項目の情報をまとめて格納する処理テーブルの例を示す図である。
【図７】制御部が算出したタイミングテーブルに基づく各測定器の電源ステータススケジュールを示す図である。
【図８】第１処理項目開始後、第１処理項目終了４０秒前に達していないときのオンタイミングテーブルの例を示す図である。
【図９】第２処理項目開始後、制御部がオフとするか否かの判定を行い、次回オンタイミングを算出して更新した後のオンタイミングテーブルの例を示す図である。
【図１０】第５処理項目開始後、制御部が電源をオフとするか否かの判定を行い、次回オンタイミングを算出して更新した後のオンタイミングテーブルの例を示す図である。
【図１１】実施形態にかかる電源制御システムによる電源制御処理を示すフローチャートである。
【図１２】図１１の次回オンタイミング算出処理手順を詳細に示すフローチャートである。
【図１３】第２の実施形態にかかる電源制御システムによるスタンバイモードを含めた電源制御スケジュール作成処理を示すフローチャートである。
【図１４】第３の実施形態にかかる電源制御システムによる電源制御処理を示すフローチャートである。
【図１５】制御部による起動時間調整要否の判定方法を説明するための修正要否判定表を示す図である。
【図１６】起動時間調整処理を説明するための変更前スケジュールを示す図である。
【発明を実施するための形態】
【００１２】
＜第１実施形態＞
図１は、被測定装置３０の試験を実施する複数の測定器の電源を制御する第１の実施形態にかかる電源制御システム１０の構成例を示す。
第１測定器２０、第２測定器２２、第３測定器２４、第４測定器２６、第５測定器２８（以下、総称して「測定器」ともいう）は、協働して被測定装置３０に対して複数の試験項目を順次実施する。ここで、複数の試験項目のうち少なくとも一つの試験項目において複数の測定器が使用されるものとする。
【００１３】
電源制御システム１０は、試験スケジュールに合わせて第１測定器２０、第２測定器２２、第３測定器２４、第４測定器２６、第５測定器２８の電源のオンオフを制御する。
電源制御システム１０は、電源オンオフ制御用のスケジュール作成に必要な情報や作成したスケジュールを保持する記憶部１２、記憶部１２に保持される情報を参照し、各測定器について電源をオンとするかオフとするか決定し、電源切り替えタイミングを算出する制御部１４、制御部１４の決定及び算出結果に従って各測定器の電源のオンオフを切り替える切替部１６、試験担当者等のユーザからの入力を受け付け、またユーザにスケジュール情報や電源ステータス情報を提示する入出力部１８を備える。
【００１４】
入出力部１８は、ユーザからの指示を取得する入力装置（図示せず）と、ユーザに情報を提示する出力装置（図示せず）を含む。入力装置は例えば、キーボード、マウスやトラックボールなどのポインティングデバイス、タッチパネル、マイクロフォン等で構成され、出力装置は例えば、ディスプレイ、スピーカ等で構成される。
【００１５】
ユーザは試験開始前に入出力部１８を介し、複数の製品試験を実施する場合その順序、各試験に含まれる試験項目の順序、各試験項目の所用時間、各試験項目における不使用測定器、各測定器の起動時間等のスケジュール作成に必要な情報を入力する。なお、これらの情報が予め入力されており、別のサーバー等に格納されている場合、制御部１４はスケジュール作成に必要な情報をそのサーバー等から取得し、記憶部１２に格納してもよい。
記憶部１２は、ユーザにより入力された、もしくは他のサーバ等から取得されたスケジュール作成に必要な情報を格納する。
【００１６】
図１に示す各機能ブロックは、ハードウェア的には、ＣＰＵ（Central Processing Unit）、ＲＡＭ（Random Access Memory）、ＲＯＭ（Read Only Memory）、リレー回路などの構成で実現でき、ソフトウェア的にはデータ入出力機能、データ保持機能、演算機能などの諸機能を発揮するプログラムで実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１７】
例えば電源制御システム１０は、記憶部１２、制御部１４、及び、入出力部１８を備え、コンピュータプログラムによって各種機能が実現される制御装置と、切替部１６を含むスイッチ切り替え装置がケーブル等で接続されたシステムとして構成されてもよい。
【００１８】
図２から図５は、ユーザにより入力され、もしくは他のサーバ等から取得されて電源制御システム１０の記憶部１２に格納されるスケジュール作成に必要な情報を示す。
図２は、記憶部１２が保持する起動時間テーブル６０の例を示す。起動時間テーブル６０は、測定器欄６２及び起動時間欄６４を含む。測定器欄６２には各測定器を識別する情報が格納され、起動時間欄６４には各測定器の起動時間が格納される。
【００１９】
図３は、被測定装置３０として製品Ａを試験する際の試験情報を格納する試験テーブル４０ａの例を示す。
試験テーブル４０ａは、製品Ａの試験に含まれる試験項目とその実施順序が格納される試験項目欄４２、各試験項目について試験の所要時間が格納される試験時間欄４４、及び各試験項目で使用されない測定器の情報である不使用測定器情報が格納される測定器欄４６を含む。
なお、図３においては、記憶部１２が、各試験項目における各測定器の使用の有無を示す情報として不使用測定器情報を保持する例を示したが、記憶部１２は、各試験項目において使用する測定器を示す使用測定器情報を保持してもよい。以下の図および説明においても同様である。
【００２０】
図４は、被測定装置３０として製品Ｂを試験する際の試験情報を格納する試験テーブル４０ｂの例を示す。試験テーブル４０ｂは、製品Ｂの試験に含まれる試験項目と実施順序が格納される試験項目欄４２、及び各試験項目で使用されない不使用測定器が格納される測定器欄４６を含む。
【００２１】
図５は、それぞれ複数の試験項目を含む各試験の実施順序、試験間の待機時間、及び待機時間における測定器の不使用情報を示す試験順序テーブル５０の例を示す。試験順序テーブル５０は、試験対象欄５２、待機時間欄５４、及び、不使用測定器欄５６を含む。
【００２２】
試験対象欄５２には、実施予定の試験およびその実施順序が格納される。図５の例では被測定装置３０である製品により実施予定の試験を表している。すなわち図５の例では製品Ａの試験、製品Ｂの試験、製品Ｂの試験、製品Ａの試験の順序で試験が実施される。
待機時間欄５４には、試験対象欄５２に示された試験の終了後、次の試験までの待機時間が格納される。この待機時間は、製造現場の事情等を考慮して、ユーザにより予め設定される。ユーザは例えば、被測定装置３０の交換等の試験終了後の作業時間や次の試験の準備作業時間、試験の前工程のスケジュール、製造計画等に基づき、試験終了後の待機時間を設定する。
【００２３】
不使用測定器欄５６には、試験と試験の間の待機時間中の各測定器の使用の有無に関する情報が格納される。
図５においては、待機時間中に全ての測定器が不使用である例が示されているが、例えば測定器の較正を行う場合等、待機時間中に一部または全部の測定器が使用される場合も本実施形態にかかる電源制御システム１０を適用可能である。
【００２４】
図６は、各試験や試験項目の実施順序、試験間の待機時間、及び各試験項目の情報をまとめて格納する処理テーブル７０の例を示す。
制御部１４は、試験テーブル４０ａ、試験テーブル４０ｂ、試験順序テーブル５０から処理テーブル７０を作成し、記憶部１２に格納する。
処理テーブル７０は、処理項目欄７２、試験対象欄７４、試験項目欄７６、不使用測定器欄７８、及び処理時間欄８０をふくむ。
【００２５】
処理項目欄７２には各処理項目の識別子が格納される。本実施形態においては、処理項目欄７２の複数の処理項目は複数の試験項目と、試験項目の間の待機時間とを含む。
また複数の試験項目は、測定器を使用しない試験項目を含んでもよい。また待機時間においても一部または全部の測定器が使用されてもよい。
このように、試験項目および試験間の待機時間を同等の処理項目として扱うことにより、それぞれ異なる組み合わせの複数の試験項目を含む複数パターンの試験が待機時間を挟んで実施されるような複雑なスケジュールにおいても、円滑な試験の実施と省エネルギ化を両立できる。
【００２６】
試験対象欄７４には実施予定の試験のタイプを示す識別子および試験の実施順序が格納される。図６の例では、被測定装置３０の製品名を実施予定の試験のタイプを示す識別子として示している。
【００２７】
試験項目欄７６には、各試験の試験項目と実施順序が格納される。不使用測定器欄７８には、各試験項目における各測定器の使用の有無を示す情報が格納される。処理時間欄８０には、各処理項目の処理時間すなわち各試験項目について試験の所要時間、または試験間の待機時間が格納される。
制御部１４は、起動時間テーブル６０および処理テーブル７０に格納される情報を参照して電源のオンオフタイミングを算出し（詳細は後述）、タイミングテーブルを作成する。
【００２８】
図７は、制御部１４が算出したタイミングテーブルに基づく各測定器の電源ステータススケジュール１００を示す。第１処理時間１０２、第２処理時間１０４、第３処理時間１０６、第４処理時間１０８、第５処理時間１１０、第６処理時間１１２、第７処理時間１１４、第８処理時間１１６、第９処理時間１１８、第１０処理時間１２０、第１１処理時間１２２、第１２処理時間１２４は、それぞれ第１処理項目から第１２処理項目に割り当てられる時間を示す。
第１測定器スケジュール１３８、第２測定器スケジュール１３６、第３測定器スケジュール１３４、第４測定器スケジュール１３２、第５測定器スケジュール１３０はそれぞれ、第１測定器、第２測定器、第３測定器、第４測定器、第５測定器の電源オンオフタイミング、すなわち各測定器の電源ステータスの時間変化を示す。
【００２９】
制御部１４は、タイミングテーブルとして図８から図１０に示すようなオンタイミングテーブル９０を作成し、各測定器の電源オンオフタイミングを算出する。オンタイミングテーブル９０は各測定器の電源ステータス、すなわち電源がオン（ＯＮ）かオフ（ＯＦＦ）かを示す情報を格納し、オフである場合はさらに次回電源を入れる次回オンタイミング情報を格納する。
【００３０】
オンタイミングテーブル９０の初期設定にあたり、制御部１４はまず、全ての測定器について、初期状態で電源オンとする。この際、次回オンタイミング情報は格納されない。
なお、ここでは試験開始前に全ての測定器の電源が入っており、起動済みである状態を想定しているが、本実施形態は、試験開始前に測定器の電源がオフである場合にも同様に適用できる。詳細は後述する。
以上で初期設定が終了する。
【００３１】
ユーザは、試験開始予定時刻になると入出力部１８を介して試験開始指示を入力し、または必要な測定器を用いて各試験項目の測定を開始する。第１測定器２０、第２測定器２２、第３測定器２４、第４測定器２６、及び第５測定器２８は協働して第１処理項目から順次、各試験項目を実施する。なお、各測定器は、予め設定された試験プログラムに従って自動で各試験項目を実行してもよく、また、ユーザの入出力部１８を介した操作もしくは各測定器のボタンやスイッチ等を介した操作に従って各試験項目を実施してもよい。
【００３２】
各処理項目開始後、制御部１４は、記憶部１２に保持されるオンタイミングテーブル９０及び処理テーブル７０を参照し、各測定器について、その測定器の電源ステータスがオンであり、かつその測定器がその処理項目で不使用である場合、その測定器の電源をオフとするか否か決定する。
【００３３】
例えば第１処理開始後、制御部１４は初期設定で作成したオンタイミングテーブル(図示せず)と処理テーブル７０を参照すると、第４測定器２６および第５測定器２８の電源ステータスがオンであり、かつ第１処理項目で不使用であるので、これらについて電源をオフとするか否か決定する。
【００３４】
具体的には制御部１４は、処理テーブル７０の不使用測定器欄７８を参照し、その測定器が連続して使用されない最後の処理項目である連続不使用最終項目Ｍを求める。
第１処理項目で使用されない第４測定器２６及び第５測定器２８は、共に第２処理項目で使用されるため、いずれの測定器についても連続不使用最終項目Ｍは１となる。
【００３５】
次に制御部１４は、処理テーブル７０の処理時間欄８０を参照し、現在の処理項目から連続不使用最終項目Ｍまでの各処理項目の処理時間の和を求める。そして、求めた処理時間の和を起動時間テーブル６０の起動時間欄６４から読み出したその測定器の起動時間と比較する。求めた処理時間の和がその測定器の起動時間よりも長い場合、その測定器の電源をオフとすることを決定する。
すなわち、ある測定器が現在の処理項目で使用されない場合、次回使用されるまでの時間がその測定器の起動時間よりも短いときは、電源を入れたままとし、次回使用されるまでの時間がその測定器の起動時間より長いときは、電源を切ることを決定する。
【００３６】
ここで、各処理項目の処理時間とは、その処理項目が試験項目である場合は試験所要時間、その処理項目が試験間の待機時間である場合はその待機時間である。
切替部１６は制御部１４の決定に従い、電源をオフとすると決定された測定器の電源をオフに切り替える。制御部１４は、オンタイミングテーブル９０においてその測定器の電源ステータスをオフに更新する。
【００３７】
例えば第１処理項目の場合、制御部１４は、第４測定器２６および第５測定器２８について、現在の処理項目である第１処理項目から連続不使用最終項目Ｍである第１処理項目までの各処理項目の処理時間の和、すなわち第１処理項目の試験時間を求める。
【００３８】
第４測定器２６の第１処理項目試験時間は５０秒であり、起動時間は４０秒である。よって起動時間の方が短いため、制御部１４は第４測定器２６の電源をオフにすると決定する。切替部１６は制御部１４の決定に従って第４測定器２６の電源をオフに切り替え、制御部１４はオンタイミングテーブルにおいて、第４測定器２６の電源ステータスをオフに更新する。
一方、第５測定器２８の第１処理項目の試験時間は５０秒であり、起動時間は１分２０秒である。よって起動時間の方が長いため、制御部１４は第５測定器の電源はオンのまま切り替えないことを決定し、オンタイミングテーブルの更新は行わない。
【００３９】
ある測定器の電源をオフとすると決定した場合、制御部１４は、連続不使用最終項目Ｍの終了時刻、つまり次回その測定器を使用する項目の開始時刻からその測定器の起動時間の分だけ前の時刻を次回オンタイミングとして算出する。すなわち、連続不使用最終項目Ｍの終了時刻からその測定器の起動時間を差し引いた時刻を次回オンタイミングとして算出する。具体時には制御部１４は、次回電源を入れる処理項目及びその処理項目内で電源を入れるタイミングを算出する。そして算出結果をオンタイミングテーブル９０に格納する。
例えば第１処理項目においてオフとすることを決定した第４測定器２６について、制御部１４は、連続不使用最終項目Ｍである第１処理項目の終了時刻から起動時間の分だけ前、すなわち終了４０秒前に、第４測定器２６の電源をオンとすることを決定する。制御部１４は、その算出結果をオンタイミングテーブル９０に格納する。
【００４０】
図８は、以上の算出結果を格納したオンタイミングテーブル９０ａ、すなわち、第１処理項目開始後、第１処理項目終了４０秒前に達していないときのオンタイミングテーブル９０ａの例を示す。オンタイミングテーブル９０ａは、各測定器を識別する情報を格納する測定器欄９２、その測定器が現在の項目すなわち第１処理項目でオフである場合に次回オンに切り替える項目を示すオン処理項目欄９４、オン処理項目中にオンに切り替えるタイミングを示すオンタイミング欄９６、現在の各測定器の電源ステータスを示す電源状態欄９８を含む。
オンタイミングテーブル９０ａに示されるように、第１測定器２０、第２測定器２２、第３測定器２４、第５測定器２８は電源オンの状態であり、第４測定器２６は電源オフの状態である。また、第４測定器２６は、第１処理項目の終了４０秒前に電源オンへの切り替えが予定されている。
【００４１】
切替部１６は、制御部１４の決定および算出結果、すなわちオンタイミングテーブル９０のオン処理項目欄９４及びオンタイミング欄９６に従い、オフ状態である測定器について、制御部１４が算出したタイミングで電源をオンに切り替える。同時に制御部１４は、その測定器のオン処理項目欄９４およびオンタイミング欄９６をクリアし、その測定器の電源状態欄９８をオフからオンに変更する。
【００４２】
例えば図８のオンタイミングテーブル９０ａにおいては、第１処理項目終了４０秒前に第４測定器２６についてオン処理項目欄９４およびオンタイミング欄９６がクリアされ、電源状態欄９８がオンに更新される。
【００４３】
同様に、第２処理項目開始後、制御部１４は、オンタイミングテーブル９０において第１処理項目終了時に電源状態欄９８がオンであり、かつ処理テーブル７０によると第２処理項目で不使用である第１測定器２０と第２測定器２２について、電源をオフとするか否か決定する。
具体的には制御部１４は、処理テーブル７０の不使用測定器欄７８を参照して第１測定器２０の連続不使用最終項目Ｍを３と算出し、第２測定器２２の連続不使用最終項目Ｍを４と算出する。
そして、処理テーブル７０の処理時間欄８０から、第２処理項目から連続不使用最終項目Ｍまでの各処理項目の試験時間の和を、第１測定器２０について３分３０秒、第２測定器２２について４分５０秒と求め、それぞれ起動時間テーブル６０の起動時間と比較する。
【００４４】
第１測定器２０、第２測定器２２ともに、連続不使用最終項目Ｍまでの各処理項目の試験時間の和の方が起動時間よりも長いため、制御部１４は第１測定器２０と第２測定器２２の電源をオフとすると決定する。切替部１６は制御部の決定に従い第１測定器２０、第２測定器２２の電源をオフに切り替え、制御部１４はオンタイミングテーブル９０において第１測定器２０および第２測定器２２の電源状態欄９８をオフに変更する。
【００４５】
そして制御部１４は、オフとすることを決定した第１測定器２０及び第２測定器２２について、次回オンタイミングを算出する。具体的には、第１測定器２０の連続不使用最終項目Ｍである第３処理項目の終了時刻、すなわち第４処理項目の開始時刻から第１測定器２０の起動時間である１分前の時刻を第１測定器２０の次回オンタイミングとして設定する。また、第２測定器２２の連続不使用最終項目Ｍである第４処理項目の終了時刻、すなわち第５処理項目の開始時刻から第２測定器２２の起動時間である２分前に当たる、第３処理項目の終了４０秒前を第２測定器２２の次回オンタイミングとして設定する。
そして制御部１４は算出した次回オンタイミング項目とその項目内でのオン切り替えタイミングをそれぞれオンタイミングテーブル９０のオン処理項目欄９４とオンタイミング欄９６に格納する。
【００４６】
図９は、以上の算出結果を格納したオンタイミングテーブル９０ｂ、すなわち、第２処理項目開始後、制御部１４が各測定器をオフとするか否かの判定を行い、次回オンタイミングを算出して更新した後のオンタイミングテーブル９０ｂの例を示す。
第１測定器２０、第２測定器２２の現在の電源ステータスがオフであり、それぞれ第３処理項目の終了１分前、終了４０秒前に電源オンへの切り替えが予定されている。
【００４７】
切替部１６は、オンタイミングテーブル９０ｂのオン処理項目欄９４及びオンタイミング欄９６に従い、オフ状態である第１測定器２０および第２測定器２２ついて、制御部１４が算出したタイミングで電源をオンに切り替える。同時に制御部１４は、その測定器のオン処理項目欄９４およびオンタイミング欄９６をクリアし、その測定器の電源状態欄９８をオフからオンに変更する。
【００４８】
以下同様に、各処理項目開始後、制御部１４はその時点で電源オンであり、その処理項目で使用されない測定器について電源をオフとするか否か決定し、オフとする場合、次回オンタイミングを算出し、オンタイミングテーブル９０に格納する。また、切替部１６は制御部１４の決定および算出結果に従って各測定器の電源のオンオフを切り替える。
【００４９】
図１０は、第５処理項目開始後、制御部１４が各測定器についてオフとするか否か決定し、オフとする場合に次回オンタイミングを算出し、オンタイミングテーブル９０を更新した後、まだ第５処理項目においてオフ状態の測定器の電源をオンに切り替えるタイミングに達していないときのオンタイミングテーブル９０ｃの例を示す。
オンタイミングテーブル９０ｃによると、第１測定器２０、第４測定器２６、及び第５測定器２８の電源がオフ状態であり、第２測定器２２及び第３測定器２４の電源がオンである。切替部１６は、第５処理項目の処理中、第１測定器２０及び第４測定器２６について、それぞれ終了の１分前、終了の４０秒前に電源をオンに切り替え、第６処理項目において終了１分２０秒前に第５測定器２８の電源をオンに切り替える。
【００５０】
なお、図２から６、および図８から１０に示した各テーブルは、記憶部１２に設けられる配列構造をなす記憶領域であり、それぞれ上述の情報を記憶する。
【００５１】
上記の例では、試験開始前に測定器の電源がすべてオンであるとして説明したが、すべての測定器の電源がオフの状態から試験を開始する場合、また一部の電源のみオンである状態から試験を開始する場合にも本実施形態は同様に適用できる。この場合、記憶部１２は初期設定としてユーザ入力または他のサーバ等から取得した試験開始前の各測定器の電源ステータスも格納する。
【００５２】
すべてまたは一部の測定器の電源がオフの状態から試験を開始する場合、制御部１４は初期設定として、試験開始前すなわち第１処理項目開始前に前述の方法で第１処理項目用のオンタイミングテーブル９０ａを作成する。
制御部１４は第１処理項目開始時にオフとすべきと決定した測定器について、初期設定の段階でオンタイミングテーブル９０ａの電源状態欄９８をオフに変更し、切替部１６はそれらの測定器の試験開始前の電源ステータスがオンであるときは、初期設定の段階でオフに切り替える。
【００５３】
オンタイミングテーブル９０ａにおいて電源状態欄９８がオンとなっている測定器について、制御部１４は記憶部１２を参照し、試験開始前の電源ステータスを確認する。そして、試験開始前にオフである測定器について起動時間テーブル６０の起動時間欄６４から起動時間情報を取得し、また処理テーブル７０から使用開始項目情報を取得する。そして、使用開始項目の開始時刻からそれぞれ起動時間分遡ったときを開始前オンタイミングとして設定する。また、それらの開始前オンタイミングのうち、一番早いときを試験準備開始タイミングとして設定する。
【００５４】
例えば上述の例ですべての測定器の電源がオフである状態から試験を開始する場合、制御部１４は試験開始前に図８のオンタイミングテーブル９０ａを作成する。そしてオンタイミングテーブル９０ａでオンとなっている測定器のうち、一番開始前オンタイミングの早い第３測定器２４の起動時間である３分３０秒前を試験開始前の試験準備開始タイミングとして算出する。
切替部１６は制御部１４の算出結果に従い、試験開始前に起動開始すべき測定器について、それぞれ開始前オンタイミングに合わせて電源をオンに切り替える。
【００５５】
第１処理項目開始時にはオンタイミングテーブル９０ａはすでに作成されており、またオフとすべき測定器はオフに切り替えられているため、第１処理項目開始時の制御部１４のオフ切り替え決定処理および次回オンタイミング算出処理は不要である。第２処理項目以降、前述のように各処理項目開始後、制御部１４はオフ切り替え決定処理および次回オンタイミング算出処理を実施し、また切替部１６は制御部１４の決定及び算出結果に従って各測定器の電源を切り替える。
【００５６】
このように本実施形態は、試験開始前の各測定器の電源がオンの場合にもオフの場合にも対応可能であり、省エネルギ化を図りつつ、試験実施現場の実情に合わせて円滑かつ効率よく試験を実施できる。
【００５７】
以上の構成による動作は以下のとおりである。
図１１は、第１の実施形態にかかる電源制御システム１０による電源制御処理を示すフローチャートである。
【００５８】
一連の試験開始にあたり、制御部１４はスケジュール作成に必要な情報を取得し、処理テーブル７０を作成する等の初期設定を行う（Ｓ１０）。なお、試験開始前に一部または全部の測定器の電源がオフである場合、制御部１４はさらに前述の手順で試験開始前に電源をオンに切り替えるべき測定器のオンタイミングを設定し、切替部１６は制御部１４の設定に従い、第１処理項目開始までに起動開始が必要な測定器の電源を適宜オンに切り替える。
各処理項目の（Ｓ１２）処理が自動で又は試験担当者により開始され（Ｓ１４）、必要な測定器を用いて試験が進められる。なお、当該処理項目が試験間の待機時間である場合、試験担当者により、被測定装置３０の交換、次の試験の準備等の必要な作業が行われる（Ｓ１４）。
【００５９】
各処理項目開始後、制御部１４は各測定器について電源オフとするか否か決定し、オフとする場合、次回オンタイミングを計算する（Ｓ１６〜Ｓ３０）。まず制御部１４は、オンタイミングテーブル９０の電源状態欄９８を参照し、その測定器の電源ステータスがオンかオフか判定する（Ｓ１８）。オフである場合（Ｓ１８のＮ）、その測定器の次回オンタイミングは設定済みであり、制御部１４はその測定器に関してオフ切り替え制御も次回オンタイミング計算も実行しない。
【００６０】
一方、その測定器の電源状態欄９８がオンである場合（Ｓ１８のＹ）、制御部１４は、処理テーブル７０を参照し、その測定器が現在の処理項目で使用されるか否か判定する（Ｓ２０）。現在の処理項目で使用される場合（Ｓ２０のＹ）、制御部１４はその測定器に関してオフ切り替え制御も次回オンタイミング計算も実行しない。
【００６１】
一方、その測定器が現在の処理項目で使用されない場合（Ｓ２０のＮ）、制御部１４は、その測定器の電源をオフとするか否か決定する。具体的には制御部１４は、処理テーブル７０の不使用測定器欄７８を参照し、その測定器の連続不使用最終項目Ｍを求める（Ｓ２２）。そして、現在の処理項目から連続不使用最終項目Ｍまでの各処理項目の処理時間Ｔｐｒｏｃｅｓｓの和ΣＴｐｒｏｃｅｓｓと、その測定器の起動時間Ｔｒｉｓｅとを比較する（Ｓ２４）。
【００６２】
ΣＴｐｒｏｃｅｓｓ＞Ｔｒｉｓｅである場合（Ｓ２４のＹ）、制御部１４は、その測定器の電源をオフとすることを決定してその測定器の電源状態欄９８をオンからオフに変更し、切替部１６は、制御部１４の決定に従いその測定器の電源をオフに切り替える（Ｓ２６）。
制御部１４は、次回オンタイミングを算出し、オンタイミングテーブル９０に格納する（Ｓ２８）。
一方、ΣＴｐｒｏｃｅｓｓ≦Ｔｒｉｓｅである場合（Ｓ２４のＮ）、制御部１４はその測定器に関して電源をオフとしないことを決定し、オフ切り替え制御も次回オンタイミング計算も実行しない。
【００６３】
上記のオフ要否判定、及び必要に応じてオフ切り替え処理及び次回オンタイミング算出処理（Ｓ１６〜Ｓ３０）が各測定器について繰り返される。これにより、各測定器の使用スケジュールおよび起動時間を考慮した上で適宜電源をオフとし、省エネルギ化を図ることができる。
各処理が終了するまでに（Ｓ３４のＮ）、オンタイミングテーブル９０のオン処理項目欄９４において現在の処理項目が指定されている場合、切替部１６は、オンタイミング欄９６において指定されたタイミングでその測定器の電源をオンに切り替える。その際、制御部１４は、オンタイミングテーブル９０のオン処理項目欄９４およびオンタイミング欄９６をクリアし、電源状態欄９８をオフからオンに変更する。
【００６４】
現在の処理項目が終了すると（Ｓ３４のＹ）、次の処理項目がスケジュールされている場合、次の処理項目が開始され（Ｓ１２）、全ての処理項目が終了した場合、切替部１６は各測定器の電源を設定に従って切り替え、試験が終了する。制御部１４は予め、ユーザからの設定入力等に従い、試験終了時に全ての測定器の電源をオフとするよう設定してもよく、また、全ての測定器の電源をオンとするよう設定してもよい。また、指定された測定器のみ電源オンとし、他の測定器の電源はオンとするよう設定してもよい。試験終了の際、切替部１６は制御部１４の設定に従って各測定器の電源を必要に応じて切り替える。
これにより、測定現場の実情に合わせて、一連の試験終了後の各測定器の電源ステータスをオン又はオフに設定できるため、試験終了時の試験担当者の手作業による電源スイッチ操作が不要となり、また次の作業にスムーズに移行できる。
【００６５】
なお図１１においては、各処理項目開始後に電源オフの要否や次回オンタイミングを求め、オンタイミングテーブル９０を更新する構成について説明した。この場合、オンタイミングテーブル９０は各時刻でのリアルタイムのステータスを示し、試験の進行とともに、その内容が更新される。
【００６６】
一方、各処理項目についてのオンタイミングテーブル９０を試験開始前にまとめて作成してもよい。この場合、各処理項目のオンタイミングテーブル９０の電源状態欄９８は、その処理項目開始時における電源のオンオフステータスを格納する。各処理項目開始後、切替部１６は、ある測定器の電源がオンであり、その処理項目のオンタイミングテーブル９０のその測定器の電源状態欄９８がオフである場合、その測定器の電源をオフに切り替える。各測定器の電源をオンに切り替えるタイミングは、前述のリアルタイムでオンタイミングテーブル９０を更新する場合と同様であり、切替部１６は、現在の処理項目のオンタイミングテーブル９０のオン処理項目欄９４およびオンタイミング欄９６に従って各測定器の電源をオンに切り替える。
【００６７】
図１２は、図１１の次回オンタイミング算出処理手順を詳細に示すフローチャートである。制御部１４はまず、次回、電源をオンに切り替えるオン処理項目を導出するための変数ｉの初期値を、図１１のステップＳ２２で算出した連続不使用最終項目Ｍに設定する（Ｓ４０）。ここで変数ｉは自然数である。制御部１４はまた、次回、電源をオンとするオンタイミングを導出するための変数ＴＯＮの初期値を、その測定器の起動時間Ｔｒｉｓｅに設定する（Ｓ４２）。ここで、変数ＴＯＮは正の数である。
【００６８】
そして制御部１４は、変数ＴＯＮと、第ｉ処理項目の試験時間Ｔｐｒｏｃｅｓｓ（ｉ）とを比較する（Ｓ４３）。
変数ＴＯＮよりも第ｉ処理項目の試験時間Ｔｐｒｏｃｅｓｓ（ｉ）の方が長い場合（Ｓ４３のＹ）、制御部１４は、次回、電源をオンとするオン処理項目を第ｉ項目と決定し（Ｓ４６）、次回、電源をオンとするオンタイミングを第ｉ項目の終了前ＴＯＮのタイミングに決定し（Ｓ４８）、次回オンタイミング算出処理を終了する。
【００６９】
一方、第ｉ処理項目の試験時間Ｔｐｒｏｃｅｓｓ（ｉ）が変数ＴＯＮ以下である場合（Ｓ４３のＮ）、制御部１４は、変数ｉをデクリメントし（Ｓ４４）、変数ＴＯＮから第ｉ処理項目の処理時間を減算して（Ｓ４５）、再び変数ＴＯＮと、第ｉ処理項目の試験時間Ｔｐｒｏｃｅｓｓ（ｉ）とを比較する（Ｓ４３）。変数ＴＯＮよりも第ｉ処理項目の試験時間Ｔｐｒｏｃｅｓｓ（ｉ）の方が長くなるまでステップＳ４４及びＳ４５の処理を繰り返し、変数ＴＯＮよりも第ｉ処理項目の試験時間Ｔｐｒｏｃｅｓｓ（ｉ）の方が長くなったとき（Ｓ４３のＹ）、制御部１４は、次回電源をオンに切り替えるオン処理項目を第ｉ項目と決定し（Ｓ４６）、次回、電源をオンとするオンタイミングを第ｉ項目の終了前ＴＯＮのタイミングに決定し（Ｓ４８）、次回オンタイミング算出処理を終了する。
【００７０】
これにより、測定器の電源をオフに切り替えた後、次回その測定器の電源オンに切り替えるタイミングを自動算出でき、試験担当者の手を煩わせずに効率よく省エネルギ化を図れる。
【００７１】
＜第２実施形態＞
第２の実施形態にかかる電源制御システム１０は、複数の測定器の中に電源のオンオフに加えてスタンバイモードを備える測定器が含まれる場合、スタンバイモードも含めて電源の切り替えを制御する。
第２の実施形態にかかる電源制御システム１０の構成は、第１の実施形態に示した構成と同様であり、同様の構成には同じ符号を付す。ただし第２の実施形態にかかる制御部１４は、スタンバイモードも含めて電源の切り替えを制御する。
【００７２】
図１３は、第２の実施形態にかかる電源制御システム１０によるスタンバイモードを含めた電源制御スケジュール作成処理を示すフローチャートである。このスケジュール作成処理は試験開始前に実行される。
【００７３】
一連の試験開始前に制御部１４はスケジュール作成に必要な情報を取得し、必要な初期設定を行う（Ｓ５０）。例えば制御部１４は、試験テーブル４０、試験順序テーブル５０、起動時間テーブル６０に示されるようなスケジュール作成に必要な情報をユーザ入力またはそれらのデータを保持するサーバ等から取得して記憶部１２に格納し、また取得した情報から処理テーブル７０を作成して記憶部１２に格納する。
この際、制御部１４は各測定器がスタンバイ機能を有するか否かを示す情報も取得し、記憶部１２に格納する。例えば、図１の起動時間テーブル６０にスタンドバイ機能欄（図示せず）を設け、各測定器のスタンドバイ機能の有無情報を格納する。
【００７４】
制御部１４はさらに、第１の実施形態に関連して前述した手順により、各処理項目のオンタイミングテーブル９０を試験開始前にまとめて作成する（Ｓ５２）。この際、各処理項目のオンタイミングテーブル９０の電源状態欄９８にはその処理項目開始時における電源のオンオフステータスを格納する。
【００７５】
各処理項目の（Ｓ５４）の各測定器について（Ｓ５６）、制御部１４は、その測定器がスタンバイ機能を有しているか否か判定する（Ｓ５８）。その測定器がスタンバイ機能を持たない場合（Ｓ５８のＮ）、制御部１４はその測定器についてその処理項目のオンタイミングテーブル９０を変更しない。
【００７６】
その測定器がスタンバイ機能を有する場合（Ｓ５８のＹ）、制御部１４はさらに、その処理項目のオンタイミングテーブル９０の電源状態欄９８を参照し、その処理項目開始時にその測定器の電源がオンであるか否か判定する（Ｓ６０）。その処理項目開始時にその測定器の電源がオフである場合（Ｓ６０のＮ）、制御部１４はその測定器についてその処理項目のオンタイミングテーブル９０を変更しない。
一方その処理項目開始時にその測定器の電源がオンである場合（Ｓ６０のＹ）、制御部１４はさらに処理テーブル７０を参照し、その測定器がその処理項目において不使用であるか否か判定する（Ｓ６２）。使用される場合（Ｓ６２のＮ）、制御部１４はその測定器についてその処理項目のオンタイミングテーブル９０を変更しない。
【００７７】
その測定器がその処理項目において不使用である場合（Ｓ６２のＹ）、制御部１４はさらに、その項目より前の項目のオンタイミングテーブル９０からその測定器がオンに切り替えられたタイミングを読み出し、その測定器が起動中であるか否か判定する（Ｓ６４）具体的には、前回その測定器がオンに切り替えられたタイミングから当該処理項目開始までの時間が起動時間よりも短い場合、起動中であると判定し、長いか等しい場合、起動済みであると判定する。起動中である場合（Ｓ６４のＹ）、制御部１４はその測定器について当該処理項目のオンタイミングテーブル９０を変更しない。一方起動中でない場合（Ｓ６４のＮ）、すなわち、一旦使用された後の不使用期間が起動時間よりも短いため不使用項目中も電源がオンに設定されている場合、制御部１４は、その測定器についてその項目開始時にスタンバイモードへ移行することを決定し（Ｓ６６）、その項目のオンタイミングテーブル９０のその測定器の電源状態欄９８をスタンバイモードに変更してオンタイミングテーブル９０を更新する。
【００７８】
以上の手順で制御部１４は各処理項目（Ｓ５４〜Ｓ７０）の各測定器について（Ｓ５６〜Ｓ６８）スタンバイモードに移行可能か否か判定し、移行可能である場合、その処理項目のオンタイミングテーブル９０の電源状態欄９８をスタンバイモードに変更する。このようにスタンバイモードを含めたオンタイミングテーブル９０を作成することにより、スタンバイモードを含めた電源制御スケジュールを作成できる。
【００７９】
試験開始後、各処理項目の処理が自動で順次開始され、または試験担当者が第１処理項目から順次、必要な測定器を用いて試験を進める。
切替部１６は各処理項目開始時、その処理項目のオンタイミングテーブル９０の電源状態欄９８を参照し、各測定器について、前の処理項目の終了時の状態と異なる場合、現在の処理項目のオンタイミングテーブル９０の電源状態欄９８に従ってその測定器の電源を切り替える。
【００８０】
具体的には、ある測定器について、前の処理項目終了時に電源がオンであり、現在の処理項目のオンタイミングテーブル９０の電源状態欄９８がオフである場合、切替部１６はその測定器の電源をオフに切り替える。
また、ある測定器について、前の処理項目終了時に電源がオンであり、現在の処理項目のオンタイミングテーブル９０のその測定器の電源状態欄９８がスタンバイである場合、切替部１６はその測定器の電源をスタンバイモードに切り替える。
また、ある測定器について、前の処理項目終了時にある測定器の電源がスタンバイモードであり、現在の処理項目のオンタイミングテーブル９０のその測定器の電源状態欄９８がオフである場合、切替部１６はその測定器の電源をオフに切り替える。
【００８１】
各測定器の電源をオンに切り替えるタイミングは第１実施形態と同様であり、切替部１６は、現在の処理項目のオンタイミングテーブル９０のオン処理項目欄９４およびオンタイミング欄９６に従って各測定器の電源をオンに切り替える。
【００８２】
なお、上記の説明ではスタンバイモードからオンに切り替える際の起動時間はゼロとしたが、実際には無視できない起動時間、すなわちスタンバイモードからの復帰時間が必要である場合、切替部１６はスタンドバイモードからオンへ切り替える際に復帰時間の分だけ早く切り替える。
【００８３】
第２の実施形態によると、円滑かつ効率よく試験を実施できるとともに、簡単な設定によりさらにきめ細かな電源管理による省エネルギ化が可能となる。
【００８４】
＜第３実施形態＞
第３の実施形態にかかる電源制御システム１０は、複数の試験項目のうちある試験項目の試験時間が変更されたような場合に変更後のスケジュールを再作成し、各測定器の電源の切り替えを制御する。
第３の実施形態にかかる電源制御システム１０の構成は、第１の実施形態に示した構成と同様であり、同様の構成には同じ符号を付す。第３の実施形態にかかる制御部１４はさらに、ある処理項目の試験時間が変更された際にスケジュールを再作成する。その際、まず各処理項目について変更後のオンタイミングテーブル９０を仮作成し、各測定器のスケジュール変更時の電源ステータスと起動時間とに鑑み、必要に応じて修正を加えた上で変更後のオンタイミングテーブル９０を作成する。
【００８５】
図１４は、第３の実施形態にかかる電源制御システム１０による電源制御処理を示すフローチャートである。
一連の試験開始前に、制御部１４はスケジュール作成に必要な情報を取得し、必要な初期設定を行う（Ｓ８０）。例えば制御部１４は、試験テーブル４０、試験順序テーブル５０、起動時間テーブル６０に示されるようなスケジュール作成に必要な情報をユーザ入力またはそれらのデータを保持するサーバ等から取得して記憶部１２に格納し、また取得した情報から処理テーブル７０を作成して記憶部１２に格納する。
そして制御部１４はさらに、第１の実施形態及び第２の実施形態に関して前述した手順により、各処理項目のオンタイミングテーブル９０を試験開始前にまとめて作成する（Ｓ８２）。この際、各処理項目のオンタイミングテーブル９０の電源状態欄９８にはその処理項目開始時における電源のオンオフステータスを格納する。
【００８６】
試験開始後、各処理項目の処理が自動で順次開始され、または試験担当者が第１処理項目から順次、必要な測定器を用いて試験を進める。制御部１４は、作成したオンタイミングテーブル９０に従って測定器の電源オンオフを制御する（Ｓ８４）。
各処理項目が終了するまでの間（Ｓ１００のＮ）、入出力部１８は処理時間や処理項目の変更入力を受け付ける（Ｓ８８）。
入出力部１８が試験時間の変更入力を受け付けずに（Ｓ８８のＮ）その処理項目の処理が終了した場合（Ｓ１００のＹ）、最初に制御部１４がステップＳ８２で作成したオンタイミングテーブル９０に従って切替部１６が各測定器の電源を制御する。
【００８７】
一方、ある処理項目を実施中にその処理項目の試験時間、或いはそれ以降に実施予定の処理項目やその時間を変更する場合、試験担当者は、入出力部１８を介して変更後の処理時間や試験項目を入力する。例えば、制御部１４が入出力部１８のディスプレイ等に試験テーブル４０ａ、試験テーブル４０ｂ、及び、試験順序テーブル５０を表示させ、ユーザによる該当個所の変更入力を受け付ける形で入出力部１８が変更入力を受け付けてもよい。入出力部１８が処理時間や処理項目の変更入力を受け付けると（Ｓ８８のＹ）、制御部１４は、変更入力に従って変更後の試験テーブル４０や試験順序テーブル５０を作成し記憶部１２に格納する。またそれらを用いて変更後の処理テーブル７０および変更が生じる時間以降の各処理項目のオンタイミングテーブル９０を仮作成し、記憶部１２に格納する（Ｓ９０）。
【００８８】
そして制御部１４は、各測定器の変更前の現在の電源ステータスと、変更後の現在の電源ステータス等に基づき、必要に応じて再作成した仮のオンタイミングテーブル９０や処理テーブル７０を修正する（Ｓ９２）。修正方法の詳細については後述する。
【００８９】
必要に応じて修正を加えた変更後のスケジュールが確定すると、切替部１６は制御部１４の決定に従い、スケジュール変更により電源の切り替えが必要となった測定器の電源を切り替え（Ｓ９４）、制御部１４は決定した変更後のスケジュールにより、処理テーブル７０を更新し（Ｓ９６）、また現時点の処理項目以降の各処理項目のオンタイミングテーブル９０を更新する（Ｓ９８）。
各処理項目が順次実行され、最後の処理項目が終了すると（Ｓ１０２）、電源制御システム１０は第１の実施形態と同様に、測定現場の実情等に合わせて予め定められた設定に従い、全測定器の電源をオンまたはオフとし、或いは指定された測定器のみ電源オンとして、電源制御処理を終了する。
【００９０】
以下、図１４のステップＳ９２の起動時間に基づくスケジュール修正（「起動時間調整」とも呼ぶ）処理について詳細に説明する。
図１５は、制御部１４による起動時間調整要否の判定方法を説明するための修正要否判定表１４０を示す。変更前オフ欄１４２、変更前起動中欄１４４、変更前起動済欄１４５はそれぞれ、変更前のオンタイミングテーブル９０に基づくある測定器のスケジュール変更時点（以下、「現在」または「現時点」ともいう）の電源ステータスが電源オフ、電源オンかつ起動中、電源オンかつ起動済みであることを示す。また、変更後オフ欄１４６及び変更後オン欄１４８はそれぞれ、制御部１４が仮作成した変更後のオンタイミングテーブル９０に基づくその測定器の変更後の現在の電源ステータスが電源オフ、電源オン（起動中及び起動済みを含む）であることを示す。
【００９１】
図１５の変更前起動済欄１４５に示すように、スケジュール変更前の現在、ある測定器の電源がオンかつ起動済みであるか、或いは変更後オフ欄１４６に示すようにスケジュール変更後の現在、その測定器の電源がオフである場合、その測定器については仮に作成したスケジュールが問題なく適用できる。
全ての測定器が上記条件に該当する場合、制御部１４は、起動時間調整は不要と判定し、仮作成したオンタイミングテーブル９０および処理テーブル７０をスケジュール変更後のオンタイミングテーブル９０および処理テーブル７０として採用し、これらのテーブルを更新する。
【００９２】
図１６は、起動時間調整処理を説明するための変更前スケジュール１５０を示す。
スケジュールパターン欄１５２は、変更前のスケジュールにおける、現在の処理項目及び次の処理項目の電源ステータスの遷移パターン（Ａ）から（Ｆ）を示す。現在の処理項目欄１５４、及び、次の処理項目欄１５６は、スケジュールパターン欄１５２のパターン（Ａ）から（Ｆ）のそれぞれについて、現在の処理項目の途中から終了までの電源ステータスと、次の処理項目の開始から途中までの電源ステータスを示す。ここで、破線１５８に示す時点に入出力部１８が現在の処理項目の試験時間の延長または短縮の変更入力を受け付けたとする。以降、破線１５８の示す時点を現在とも呼ぶ。
【００９３】
例えば、図１６のパターン（Ｄ）（Ｅ）（Ｆ）では、図１５の変更前起動済欄１４５に示したようにスケジュール変更前の現在電源がオンかつ起動済みである。よって現在の処理項目の処理時間の延長又は短縮に関わらず、また、仮作成したスケジュール変更後の現在の電源ステータスにかかわらず、変更後に起動時間を確保する必要が生じない。よってこの場合、制御部１４は、その測定器についての起動時間調整は不要と判断する。
【００９４】
また、図１５の変更後オフ欄１４６に示したようにスケジュール変更後の現時点の電源ステータスがオフとなるケースとしては、例えば図１６のパターン（Ｂ）で現在の処理項目の試験時間が延長または短縮された場合、また図１６のパターン（Ｅ）で現在の処理項目の試験時間が短縮され、次の処理項目の開始時刻が前倒しされたようなケースが想定できる。その他、例えば図１６のパターン（Ｃ）や（Ｄ）において、現在の処理項目の試験時間が延長され、次の試験項目の開始時間が繰り下がると共に起動開始時間も繰り下がるケースが想定できる。
【００９５】
このように、スケジュール変更後の現時点の測定器の電源がオフとなる場合、切替部１６がその測定器をオフに切り替え、再計算されたスケジュールにおいて指定されたタイミングでその測定器をオンに切り替えて起動開始すればよい。よって、制御部１４は、その測定器についての起動時間調整は不要と判断する。
【００９６】
図１５の修正要否判定表１４０において変更前オフ欄１４２と変更後オン欄１４８が交差する欄に示されるように、スケジュール変更前の現時点において電源オフ、かつ、スケジュール変更後の現時点において電源オン（起動中、及び起動後を含む）となる測定器が一つ以上ある場合、制御部１４はスケジュールの修正が必要と判定する。この場合、制御部１４は、その測定器について起動時間開始時点まではスケジュールを前倒し可能とするが、それ以上はスケジュールを前倒ししないよう、その測定器の使用開始時刻を例えば現時点から起動時間経過後に設定する。そして制御部１４はその処理項目および以降の処理項目について再度全測定器のスケジュールを計算してスケジュール変更後のオンタイミングテーブル９０および処理テーブル７０を作成する。
【００９７】
例えば図１６のパターン（Ａ）で現在の処理項目の試験時間が短縮され、次の処理項目の開始時間が前倒しされたためにスケジュール変更後の現在の電源ステータスがオンとなった場合、制御部１４は起動時間調整が必要と判定する。すなわち、起動時間開始時点まではスケジュールを前倒しするが、それ以上はスケジュールを前倒ししないよう、次の処理項目の開始時間を起動時間経過後に設定する。
なお、複数の測定器について起動時間調整が必要と判定した場合、制御部１４は、全ての測定器について、測定器の使用開始あるいは使用再開が起動完了後となるように調整する。詳細は後述する。
【００９８】
図１５の修正要否判定表１４０の変更前起動中欄１４４と変更後オン欄１４８が交差する欄に示されるように、スケジュール変更前の現時点において電源オンかつ起動中であり、スケジュール変更後の現時点において電源オン（起動中を含む）となる測定器がある場合、制御部１４はその測定器について、起動時間調整の要否を判定する。
【００９９】
具体的には制御部１４は、起動時間テーブル６０、スケジュール変更前の処理テーブル７０やオンタイミングテーブル９０に基づき、その測定器の起動完了予定時刻を算出する。また、仮作成された変更後のスケジュールにおけるその測定器の使用開始時刻を算出する。そして算出した起動完了予定時刻と使用開始時刻を比較し、起動完了予定時刻が使用開始時刻以前であれば起動時間調整は不要であり、起動完了予定時刻が使用開始時刻の後であれば、起動時間調整が必要であると判定する。
【０１００】
例えば、図１６のパターン（Ｃ）で現在の処理項目の処理時間が短縮され、スケジュール変更後の現時点の電源ステータスがオン（起動中を含む）となった場合、制御部１４はその測定器について起動時間調整の要否を判定する。
前述のように本実施形態においては、全項目のオンタイミングテーブル９０を作成する際、各測定器の起動時間を考慮して電源を入れる時間を決定しているため、測定器の起動中に現在の処理項目の試験時間が短縮され、次の試験時間の開始時間が前倒しされると、起動時間が確保できない。
制御部１４は前述の起動時間調整要否の判定方法により、起動時間調整が必要と判定する。この場合、ステップＳ９０で仮作成したスケジュールは採用せず、変更前の処理テーブル７０およびオンタイミングテーブル９０に従い、当初の予定通りの電源制御を行う。
【０１０１】
一方、図１６のパターン（Ｃ）で現在の処理項目の試験時間が延長され、スケジュール変更後の現時点において電源オン（起動中を含む）となった場合、起動時間は確保できている。この場合、制御部１４は、前述の起動時間調整の要否の判定方法により、この測定器に関して起動時間調整は不要と判定する。
【０１０２】
制御部１４は、一つ以上の測定器について起動時間調整が必要と判定した場合、それらの測定器全てについて、次の使用開始時刻が起動完了後となるようにスケジュールを調整する。具体時にはまず、起動時間調整が必要な測定器のそれぞれについて、起動時間を確保するために必要な延長時間を算出する。そして、それらのうち最長の延長時間を修正延長時間として採用し、先に仮作成した処理テーブル７０の現在の処理項目以降の処理項目を修正延長時間の分後にずらし、処理テーブル７０及びオンタイミングテーブル９０を再作成する。
【０１０３】
入出力部１８がユーザから処理時間や処理項目の変更指示を受け付けた場合、制御部１４は上記のように仮のスケジュールを作成し、必要に応じて起動時間調整を行い、変更後の処理テーブル７０及びオンタイミングテーブル９０を作成する。
制御部１４は、入出力部１８のディスプレイ画面への表示やプリンタへの出力等により、スケジュール変更結果をユーザに提示する。起動時間修正を実施したときはさらに、修正によるの延長時間や短縮時間、或いはスケジュール変更が実施されない旨をユーザに提示する。
これにより、ユーザの時間変更入力とは異なる処理時間の延長／短縮がなされたり、時間変更入力を受け付けたがスケジュール変更されない場合等、特に注意が必要な場合にユーザの注意を喚起でき、ユーザが実際のスケジュール変更を適切に把握できる。
【０１０４】
このように第３の実施形態にかかる電源制御システム１０は、試験実施中に時間変更が生じた場合にも、起動時間を考慮して迅速にスケジュールを再作成できる。したがって、急なスケジュールに変更に際しても電力消費を抑えつつ、円滑かつ効率よく試験を実施できる。
【０１０５】
なお、図１６においては各処理項目の処理時間が短縮または延長された場合を例に説明したが、本実施形態は処理項目の順序入れ替え、処理項目の削除、及び、新たな処理項目の付加の場合にも同様に適用できる。いずれの場合も前述の手順と同様に、変更入力受け付け後、変更後の処理テーブル７０およびオンタイミングテーブル９０を仮作成し、図１５の修正要否判定表１４０に示したように起動時間調整の要否を判定し、必要に応じて起動時間調整を行い、起動時間を考慮したスケジュールを再作成する。
これにより、より複雑なスケジュールに変更に際しても電力消費を抑えつつ、円滑かつ効率よく試験を実行できる。
【０１０６】
以上、本発明を実施形態にもとづいて説明した。本発明は上述の実施形態に限定されるものではなく、実施形態の各要素を適宜組み合わせたものも、本発明の実施形態として有効である。実施形態の組合せによって生じる新たな実施の形態は、組み合わされる実施の形態それぞれの効果をあわせもつ。
また、当業者の知識に基づいて各種の設計変更等の変形を実施形態に対して加えることも可能であり、そのような変形が加えられた実施形態も本発明の範囲に含まれうる。
【０１０７】
例えば、実施形態においては試験に用いられる複数の測定器に電源制御システム１０を適用する例について説明したが、電源制御システム１０はこれに限られず、複数の処理項目を協働して順次実施する複数の処理装置の電源制御に適用できる。
【産業上の利用可能性】
【０１０８】
以上のように本発明は電源制御技術に関し、特に、複数の装置の電源を制御する電源制御システムに利用可能である。
【符号の説明】
【０１０９】
１０  電源制御システム、  １２  記憶部、  １４  制御部、  １６  切替部、  ２０  第１測定器、  ２２  第２測定器、  ２４  第３測定器、  ２６  第４測定器、  ２８  第５測定器、  ３０  被測定装置。
【図１】
2015125690.tif 000003
【図２】
2015125690.tif 000004
【図３】
2015125690.tif 000005
【図４】
2015125690.tif 000006
【図５】
2015125690.tif 000007
【図６】
2015125690.tif 000008
【図７】
2015125690.tif 000009
【図８】
2015125690.tif 000010
【図９】
2015125690.tif 000011
【図１０】
2015125690.tif 000012
【図１１】
2015125690.tif 000013
【図１２】
2015125690.tif 000014
【図１３】
2015125690.tif 000015
【図１４】
2015125690.tif 000016
【図１５】
2015125690.tif 000017
【図１６】
2015125690.tif 000018